(57)【要約】  本出願の発明は、極度の重力による力、横方向の力、および周期的な力に対する高い耐力を有する壁体を構築するためのレンガおよびロッド（４、５Ａ、５Ｂ）のシステムを提供する。このシステムは、ロッド（４、５Ａ、５Ｂ）のスケルトンで補強されたレンガからなる壁体の構築を可能にする。このシステムのレンガは、壁体の隣接するレンガとの間で水平方向および垂直方向の連結を可能にする水平（１）および垂直な突出部（３）および空洞部（２）を備える矩形のブロックである。レンガには、さらに、壁体の垂直方向に隣接する穴（１５）と心合せされる穴（１５）が開けられており、それによって壁体の全高にわたって延びる連続した垂直な穴（１５）が形成される。システムのロッド（４、５Ａ、５Ｂ）は壁体の連続した穴（１５）を通してレンガを貫く。
2009537718.tif 000002
【特許請求の範囲】
【請求項１】
レンガおよびロッドのシステムであって、前記システムが、長さを規定する水平軸Ｘ、高さを規定する垂直軸Ｙ、幅を規定する水平軸Ｚの３つの直交座標Ｘ、Ｙ、Ｚによって規定される壁体構築のための三次元の矩形レンガと、ロッドとを特徴としており、前記レンガが、
ａ．  Ｘ軸およびＺ軸によって規定される上部水平面および下部水平面と、
ｂ．  Ｚ軸およびＹ軸によって規定される前方垂直面および後方垂直面と、
ｃ．  Ｘ軸およびＹ軸によって規定される２つの垂直側面と、
ｄ．  前記レンガの前記前方垂直面の中央に設けられたＸ軸方向の丸みを帯びた凸状幾何学形状の対称形の突出部であって、前記突出部がｅに記載の空洞部によって水平方向に隣接するブロックと正確に連結し、Ｚ軸の同じ方向に規定される前記レンガの前記前方垂直面上の前記突出部の基部が前記突出部の前記凸状幾何学形状の最大直径よりも短い長さである突出部と、
ｅ．  前記レンガの前記後方垂直面の中央に設けられたＸ軸方向の凹状幾何学形状の対称形の空洞部であって、前記空洞部がｄに記載の前記突出部によって水平方向に隣接するブロックと正確に連結し、Ｚ軸と同じ方向に規定される前記レンガの前記後方垂直面上の前記空洞部の開口の長さが前記空洞部の凹状幾何学形状の最大直径よりも短い空洞部と、
ｆ．  前記レンガの前記上部水平面の中央に対称形に配設されたＹ軸方向の円筒形凹状幾何学形状の２つの突出部であって、前記突出部がｇに記載の空洞部によって垂直方向に隣接するブロックと正確に連結し、前記レンガの前記上部水平面上のそれぞれの前記突出部の基部の直径が前記突出部の円筒形部分の直径以上である突出部と、
ｇ．  前記レンガの前記下部水平面の中央に対称形に配設されたＹ軸方向の円筒形凹状幾何学形状の２つの空洞部であって、前記空洞部がｆに記載の前記突出部によって垂直方向に隣接するブロックと正確に連結し、前記レンガの前記下部水平面上のそれぞれの前記空洞部の開口の直径が前記空洞部の円筒形部分の直径以上である空洞部と、
ｈ．  前記レンガを貫通する２つの垂直な円筒形の穴であって、Ｙ軸方向の前記穴の長さがｆに記載の前記突出部の凸状幾何学形状の頂部からｇに記載の前記空洞部の凹状幾何学形状の頂部までによって規定され、前記穴と、壁体で垂直方向に隣接するレンガの同一の穴とが前記壁体の垂直軸の方向に心合せされることによって前記壁体の全高にわたって延びる連続した垂直な穴を形成する穴と、
ｉ．  前記レンガを貫通する１つの垂直な円筒形の穴であって、Ｙ軸方向の前記穴の長さが前記レンガの前記上部水平面から前記レンガの前記下部水平面までによって規定され、前記穴がｈに記載の前記２つの穴の間に平行に配設され、前記穴と、垂直方向に隣接するレンガのｊに記載の同じ直径の穴とが壁体の垂直軸の方向に心合せされることによって前記壁体の全高にわたって延びる連続した垂直な穴が形成され、前記穴が、壁体の全高にわたって延びる前記連続した穴にロッドを挿入することができるように前記ロッドの直径に見合った直径を持つ穴と、
ｊ．  ｄに記載の前記突出部をＹ軸方向に貫通する垂直な円筒形の穴であって、前記穴の長さが前記突出部の前記上部水平面の中心から前記突出部の前記下部水平面の中心までによって規定され、この穴と、垂直方向に隣接するレンガのｉに記載の同じ直径の穴とが壁体の垂直軸の方向に心合せされることによって前記壁体の全高にわたって延びる連続した垂直な穴が形成され、前記穴が、前記壁体の全高にわたって延びる前記連続した穴にロッドを挿入することができるようにロッドの直径に見合った直径を持つ穴とを備える中実ブロックであり、
前記ロッドの長さが前記壁体の高さの長さ以上であり、前記ロッドがｉおよびｊに記載の前記連続した垂直な穴を貫くように垂直に挿入され、
垂直方向および水平方向に隣接するレンガの間に耐力のある連結が生み出されることによって、複数の前記ロッドからなるスケルトンの挿入が可能な壁体が構築され、それにより、横方向の高い剛性と、極度の一様な力、周期的な力、および重力による力に対する高い耐力とを持つ構造をもたらすシステム。
【請求項２】
前記レンガが、前記レンガの前記垂直側面の１つに設けられた丸みを帯びた凸状幾何学形状の対称形の突出部であって、前記突出部が水平方向に隣接するレンガの請求項１のｅに記載の前記空洞部と正確に連結し、Ｘ軸の同じ方向に規定される前記垂直側面上の前記突出部の基部が前記突出部の凸状幾何学形状の最大直径よりも短い長さである突出部を特徴とする、請求項１に記載のシステム。
【請求項３】
前記レンガが、前記前方垂直面の２つの縁におけるＹ軸方向の９０度直角溝と、前記下部水平面の２つの縁におけるＸ軸方向の９０度直角溝とを特徴とする、請求項１に記載のシステム。
【請求項４】
前記レンガが、前記前方垂直面の２つの縁におけるＹ軸方向の９０度直角溝と、前記後方垂直面の２つの縁におけるＹ軸方向の９０度直角溝と、前記上部水平面の２つの縁におけるＸ軸方向の９０度直角溝と、前記下部水平面の２つの縁におけるＸ軸方向の９０度直角とを特徴とする、請求項１に記載のシステム。
【請求項５】
前記ロッドが、
ａ．  長さが前記レンガの高さに等しい管であって、前記管が雌ねじとして機能し、前記管が内ねじを有しており、その中にｂに記載のねじが螺入されるようになっている管と、
ｂ．  ａに記載の前記管の長さ以下の長さの雄ねじであって、前記雄ねじが外ねじを持ち、前記雄ねじがその上半分でａに記載するような管の中にはまり込み、下半分でａに記載するような別の管の中にはまり込み、形成される嵌合継手によって垂直方向に隣接する２つのレンガに挿入される２つの管が接合される雄ねじとを備える組立てロッドであって、
複数の前記管および複数の前記雄ねじによって連続した組立てロッドが形成され、構成される、請求項１に記載のシステム。
【請求項６】
前記ロッドが、それぞれの長さが前記レンガの高さの１倍半（１．５倍）であるロッド部片を含む組立てロッドであって、それぞれのロッド部片が第１の部分、第２の部分、第３の部分として規定される３つの部分によって形成されており、前記３つの部分が全く同じ長さで、それぞれの部分が前記ロッド部片の長さの３分の１に等しい長さを持っており、前記第１の部分はロッド部片の一端であり、前記第１の部分は中空で内ねじを持ち、それによって前記ロッド部片の雌ねじとして機能する部分を構成しており、前記第２の部分は前記第１の部分と前記第３の部分の間の前記ロッド部片の中間にあり、前記第２の部分は中実であり、前記第３の部分は中実で外ねじを持ち、前記第３の部分は第１の部分が構成する一端とは反対端にあり、前記第３の部分は前記ロッド部片の雄ねじとして機能する部分であり、前記ロッド部片の前記第１の部分が別の同一のロッド部片の前記第３の部分に螺着され、順次螺合された複数の同一のロッド部片によって前記組立てロッドが形成される、請求項１に記載のシステム。
【請求項７】
レンガおよびロッドのシステムであって、前記システムが、長さを規定する水平軸Ｘ、高さを規定する垂直軸Ｙ、幅を規定する水平軸Ｚの３つの直交座標Ｘ、Ｙ、Ｚによって規定される壁体構築のための三次元の矩形レンガと、ロッドとを特徴としており、前記レンガが、
ａ．  Ｘ軸およびＺ軸によって規定される上部水平面および下部水平面と、
ｂ．  Ｚ軸およびＹ軸によって規定される前方垂直面および後方垂直面と、
ｃ．  Ｘ軸およびＹ軸によって規定される２つの垂直側面と、
ｄ．  前記レンガの前記前方垂直面の中央に設けられたＸ軸方向の丸みを帯びた凸状幾何学形状の対称形の突出部であって、前記突出部がｅに記載の空洞部によって水平方向に隣接するブロックと正確に連結し、Ｚ軸の同じ方向に規定される前記レンガの前記前方垂直面上の前記突出部の基部が前記突出部の前記凸状幾何学形状の最大直径よりも短い長さである突出部と、
ｅ．  前記レンガの前記後方垂直面の中央に設けられたＸ軸方向の凹状幾何学形状の対称形の空洞部であって、前記空洞部がｄに記載の前記突出部によって水平方向に隣接するブロックと正確に連結し、Ｚ軸と同じ方向に規定される前記レンガの前記後方垂直面上の前記空洞部の開口の長さが前記空洞部の凹状幾何学形状の最大直径よりも短い空洞部と、
ｆ．  前記レンガの前記上部水平面の中央に対称形に配設されたＹ軸方向の円筒形凹状幾何学形状の２つの突出部であって、前記突出部がｇに記載の空洞部によって垂直方向に隣接するブロックと正確に連結し、前記レンガの前記上部水平面上のそれぞれの前記突出部の基部の直径が前記突出部の円筒形部分の直径以上である突出部と、
ｇ．  前記レンガの前記下部水平面の中央に対称形に配設されたＹ軸方向の円筒形凹状幾何学形状の２つの空洞部であって、前記空洞部がｆに記載の前記突出部によって垂直方向に隣接するブロックと正確に連結し、前記レンガの前記下部水平面上のそれぞれの前記空洞部の開口の直径が前記空洞部の円筒形部分の直径以上である空洞部と、
ｈ．  前記レンガを貫通する２つの垂直な円筒形の穴であって、Ｙ軸方向の前記穴の長さがｆに記載の前記突出部の凸状幾何学形状の頂部からｇに記載の前記空洞部の凹状幾何学形状の頂部までによって規定され、前記穴と、壁体で垂直方向に隣接するレンガの同一の穴とが前記壁体の垂直軸の方向に心合せされることによって前記壁体の全高にわたって延びる連続した垂直な穴を形成し、前記２つの穴の直径が前記ロッドの直径に見合ったものである穴とを備える中実ブロックであり、
前記ロッドの長さが前記壁体の高さの長さ以上であり、前記ロッドが前記壁体の前記連続した垂直な穴を貫くように垂直に挿入され、
垂直方向および水平方向に隣接するレンガの間に耐力のある連結が生み出されることによって、複数の前記ロッドからなるスケルトンの挿入が可能な壁体が構築され、それにより、横方向の高い剛性と、極度の一様な力、周期的な力、および重力による力に対する高い耐力とを持つ構造をもたらすシステム。
【請求項８】
前記レンガが、前記レンガの前記垂直側面の１つに設けられた丸みを帯びた凸状幾何学形状の対称形の突出部であって、前記突出部が水平方向に隣接するレンガの請求項７のｅに記載の前記空洞部と正確に連結し、Ｘ軸の同じ方向に規定される前記側面上の前記突出部の基部が前記突出部の凸状幾何学形状の最大直径よりも短い長さである突出部を特徴とする、請求項７に記載のシステム。
【請求項９】
前記レンガが、前記前方垂直面の２つの縁におけるＹ軸方向の９０度直角溝と、前記下部水平面の２つの縁におけるＸ軸方向の９０度直角溝とを特徴とする、請求項７に記載のシステム。
【請求項１０】
前記レンガが、前記前方垂直面の２つの縁におけるＹ軸方向の９０度直角溝と、前記後方垂直面の２つの縁におけるＹ軸方向の９０度直角溝と、前記上部水平面の２つの縁におけるＸ軸方向の９０度直角溝と、前記下部水平面の２つの縁におけるＸ軸方向の９０度直角とを特徴とする、請求項７に記載のシステム。
【請求項１１】
前記ロッドが、
ａ．  長さが前記レンガの高さに等しい管であって、前記管が雌ねじとして機能し、前記管が内ねじを有しており、その中にｂに記載のねじが螺入されるようになっている管と、
ｂ．  ａに記載の前記管の長さ以下の長さの雄ねじであって、前記雄ねじが外ねじを持ち、前記雄ねじがその上半分でａに記載するような管の中にはまり込み、下半分でａに記載するような別の管の中にはまり込み、形成される嵌合継手によって垂直方向に隣接する２つのレンガに挿入される２つの管が接合される雄ねじとを備える組立てロッドであって、
複数の前記管および複数の前記雄ねじによって連続した組立てロッドが形成され、構成される、請求項７に記載のシステム。
【請求項１２】
前記ロッドが、それぞれの長さが前記レンガの高さの１倍半（１．５倍）であるロッド部片を含む組立てロッドであって、それぞれのロッド部片が第１の部分、第２の部分、第３の部分として規定される３つの部分によって形成されており、前記３つの部分が全く同じ長さで、それぞれの部分が前記ロッド部片の長さの３分の１に等しい長さを持っており、前記第１の部分はロッド部片の一端であり、前記第１の部分は中空で内ねじを持ち、それによって前記ロッド部片の雌ねじとして機能する部分を構成しており、前記第２の部分は前記第１の部分と前記第３の部分の間の前記ロッド部片の中間にあり、前記第２の部分は中実であり、前記第３の部分は中実で外ねじを持ち、前記第３の部分は第１の部分が構成する一端とは反対端にあり、前記第３の部分は前記ロッド部片の雄ねじとして機能する部分であり、前記ロッド部片の前記第１の部分が別の同一のロッド部片の前記第３の部分に螺着され、順次螺合された複数の同一のロッド部片によって前記組立てロッドが形成される、請求項７に記載のシステム。
【請求項１３】
壁体構築のための三次元の矩形レンガであって、長さを規定する水平軸Ｘ、高さを規定する垂直軸Ｙ、幅を規定する水平軸Ｚの３つの直交座標Ｘ、Ｙ、Ｚによって規定され、
ａ．  Ｘ軸およびＺ軸によって規定される上部水平面および下部水平面と、
ｂ．  Ｚ軸およびＹ軸によって規定される前方垂直面および後方垂直面と、
ｃ．  Ｘ軸およびＹ軸によって規定される２つの垂直側面と、
ｄ．  前記レンガの前記前方垂直面の中央に設けられたＸ軸方向の丸みを帯びた凸状幾何学形状の対称形の突出部であって、前記突出部がｅに記載の空洞部によって水平方向に隣接するブロックと正確に連結し、Ｚ軸の同じ方向に規定される前記レンガの前記前方垂直面上の前記突出部の基部が前記突出部の前記凸状幾何学形状の最大直径よりも短い長さである突出部と、
ｅ．  前記レンガの前記後方垂直面の中央に設けられたＸ軸方向の凹状幾何学形状の対称形の空洞部であって、前記空洞部がｄに記載の前記突出部によって水平方向に隣接するブロックと正確に連結し、Ｚ軸と同じ方向に規定される前記レンガの前記後方垂直面上の前記空洞部の開口の長さが前記空洞部の凹状幾何学形状の最大直径よりも短い空洞部と、
ｆ．  前記レンガの前記上部水平面の中央に対称形に配設されたＹ軸方向の円筒形凹状幾何学形状の２つの突出部であって、前記突出部がｇに記載の空洞部によって垂直方向に隣接するブロックと正確に連結し、前記レンガの前記上部水平面上のそれぞれの前記突出部の基部の直径が前記突出部の円筒形部分の直径以上である突出部と、
ｇ．  前記レンガの前記下部水平面の中央に対称形に配設されたＹ軸方向の円筒形凹状幾何学形状の２つの空洞部であって、前記空洞部がｆに記載の前記突出部によって垂直方向に隣接するブロックと正確に連結し、前記レンガの前記下部水平面上のそれぞれの前記空洞部の開口の直径が前記空洞部の円筒形部分の直径以上である空洞部と、
ｈ．  前記レンガを貫通する２つの垂直な円筒形の穴であって、Ｙ軸方向の前記穴の長さがｆに記載の前記突出部の凸状幾何学形状の頂部からｇに記載の前記空洞部の凹状幾何学形状の頂部までによって規定され、前記穴と、壁体で垂直方向に隣接するレンガの同一の穴とが前記壁体の垂直軸の方向に心合せされることによって前記壁体の全高にわたって延びる連続した垂直な穴を形成する穴と、
ｉ．  前記レンガを貫通する１つの垂直な円筒形の穴であって、Ｙ軸方向の前記穴の長さが前記レンガの前記上部水平面から前記レンガの前記下部水平面までによって規定され、前記穴がｈに記載の前記２つの穴の間に平行に配設され、前記穴と、垂直方向に隣接するレンガのｊに記載の同じ直径の穴とが壁体の垂直軸の方向に心合せされることによって前記壁体の全高にわたって延びる連続した垂直な穴が形成され、前記穴が、壁体の全高にわたって延びる前記連続した穴にロッドを挿入することができるように前記ロッドの直径に見合った直径を持つ穴と、
ｊ．  ｄに記載の前記突出部をＹ軸方向に貫通する垂直な円筒形の穴であって、前記穴の長さが前記突出部の前記上部水平面の中心から前記突出部の前記下部水平面の中心までによって規定され、この穴と、垂直方向に隣接するレンガのｉに記載の同じ直径の穴とが壁体の垂直軸の方向に心合せされることによって前記壁体の全高にわたって延びる連続した垂直な穴が形成され、前記穴が、前記壁体の全高にわたって延びる前記連続した穴にロッドを挿入することができるように前記ロッドの直径に見合った直径を持つ穴とを備える中実ブロックであることを特徴とし、
垂直方向および水平方向に隣接するレンガの間に耐力のある連結が生み出されることによって、垂直のロッドからなるスケルトンの挿入が可能な壁体が構築され、それにより、横方向の高い剛性と、極度の一様な力、周期的な力、および重力による力に対する高い耐力とを持つ構造をもたらすレンガ。
【請求項１４】
前記レンガの前記垂直側面の１つに設けられた丸みを帯びた凸状幾何学形状の対称形の突出部であって、前記突出部が水平方向に隣接するレンガの請求項１３のｅに記載の前記空洞部と正確に連結し、Ｘ軸の同じ方向に規定される前記垂直側面上の前記突出部の基部が前記突出部の凸状幾何学形状の最大直径よりも短い長さである突出部を特徴とする、請求項１３に記載のレンガ。
【請求項１５】
前記前方垂直面の２つの縁におけるＹ軸方向の９０度直角溝と、前記下部水平面の２つの縁におけるＸ軸方向の９０度直角溝とを特徴とする、請求項１３に記載のレンガ。
【請求項１６】
前記前方垂直面の２つの縁におけるＹ軸方向の９０度直角溝と、前記後方垂直面の２つの縁におけるＹ軸方向の９０度直角溝と、前記上部水平面の２つの縁におけるＸ軸方向の９０度直角溝と、前記下部水平面の２つの縁におけるＸ軸方向の９０度直角とを特徴とする、請求項１３に記載のレンガ。
【請求項１７】
壁体構築のための三次元の矩形レンガであって、長さを規定する水平軸Ｘ、高さを規定する垂直軸Ｙ、幅を規定する水平軸Ｚの３つの直交座標Ｘ、Ｙ、Ｚによって規定され、
ａ．  Ｘ軸およびＺ軸によって規定される上部水平面および下部水平面と、
ｂ．  Ｚ軸およびＹ軸によって規定される前方垂直面および後方垂直面と、
ｃ．  Ｘ軸およびＹ軸によって規定される２つの垂直側面と、
ｄ．  前記レンガの前記前方垂直面の中央に設けられたＸ軸方向の丸みを帯びた凸状幾何学形状の対称形の突出部であって、前記突出部がｅに記載の空洞部によって水平方向に隣接するブロックと正確に連結し、Ｚ軸の同じ方向に規定される前記レンガの前記前方垂直面上の前記突出部の基部が前記突出部の前記凸状幾何学形状の最大直径よりも短い長さであり、前記突出部の凸状幾何学形状の頂部から前記レンガの前記前方垂直面上の基部までによって規定されるＸ軸方向の前記突出部の長さが前記レンガの幅Ｚの２６％から６５％までの間である突出部と、
ｅ．  前記レンガの前記後方垂直面の中央に設けられたＸ軸方向の凹状幾何学形状の対称形の空洞部であって、前記空洞部がｄに記載の前記突出部によって水平方向に隣接するブロックと正確に連結し、Ｚ軸と同じ方向に規定される前記レンガの前記後方垂直面上の前記空洞部の開口の長さが前記空洞部の凹状幾何学形状の最大直径よりも短く、前記空洞部の凹状幾何学形状の頂部から前記レンガの前記後方垂直面上の開口までによって規定されるＸ軸方向の前記空洞部の長さがレンガの幅Ｚの２６％から６５％までの間である空洞部と、
ｆ．  前記レンガの前記上部水平面の中央に対称形に配設されたＹ軸方向の円筒形凹状幾何学形状の２つの突出部であって、前記突出部がｇに記載の空洞部によって垂直方向に隣接するブロックと正確に連結し、前記レンガの前記上部水平面上のそれぞれの前記突出部の基部の直径が前記突出部の円筒形部分の直径以上であり、前記突出部の凸状幾何学形状の頂部から前記レンガの前記上部水平面上の基部までのＹ軸方向の前記突出部の長さが前記レンガの幅Ｚの２６％から６５％までの間である突出部と、
ｇ．  前記レンガの前記下部水平面の中央に対称形に配設されたＹ軸方向の円筒形凹状幾何学形状の２つの空洞部であって、前記空洞部がｆに記載の前記突出部によって垂直方向に隣接するブロックと正確に連結し、前記レンガの前記下部水平面上のそれぞれの前記空洞部の開口の直径が前記空洞部の円筒形部分の直径以上であり、前記空洞部の凹状幾何学形状の頂部から前記レンガの前記下部水平面上の前記空洞部の開口までによって規定されるＹ軸方向の前記空洞部の長さが前記レンガの幅Ｚの２６％から６５％までの間である空洞部と、
ｈ．  前記レンガを貫通する２つの垂直な円筒形の穴であって、Ｙ軸方向の前記穴の長さがｆに記載の前記突出部の凸状幾何学形状の頂部からｇに記載の前記空洞部の凹状幾何学形状の頂部までによって規定され、前記穴と、壁体で垂直方向に隣接するレンガの同一の穴とが前記壁体の垂直軸の方向に心合せされることによって前記壁体の全高にわたって延びる連続した垂直な穴を形成する穴とを備える中実ブロックであることを特徴とし、
垂直方向および水平方向に隣接するレンガの間に耐力のある連結が生み出され、それによって、横方向の高い剛性と、極度の一様な力、周期的な力、および重力による力に対する高い耐力とを持つ壁体を構築するレンガ。
【請求項１８】
前記レンガを貫通する２つの垂直な円筒形の穴であって、Ｙ軸方向の前記穴の長さが請求項１７のｆに記載の前記突出部の前記凸状幾何学形状の頂部から請求項１７のｇに記載の前記空洞部の前記凹状幾何学形状の頂部までによって規定され、前記穴と、壁体で垂直方向に隣接するレンガのそれと同一の穴とが前記壁体の垂直軸の方向に心合せされることによって前記壁体の全高にわたって延びる連続した垂直な穴を形成し、前記穴が、前記壁体の全高にわたって延びる前記連続した穴に同一のロッドを挿入することができるように前記ロッドの直径に見合った直径を持ち、垂直方向および水平方向に隣接するレンガの間に耐力のある連結が生み出されることによって、垂直なロッドからなるスケルトンの挿入が可能な壁体が構築され、それにより、横方向の高い剛性と、極度の一様な力、周期的な力、および重力による力に対する高い耐力とを持つ構造をもたらす穴を特徴とする、請求項１７に記載のレンガ。
【請求項１９】
前記レンガの前記垂直側面の１つに設けられた丸みを帯びた凸状幾何学形状の対称形の突出部であって、前記突出部が水平方向に隣接するレンガの請求項１７のｅに記載の前記空洞部と正確に連結し、Ｘ軸と同じ方向に規定される前記レンガの前記垂直側面上の前記突出部の基部が前記突出部の凸状幾何学形状の最大直径よりも短い長さであり、前記突出部の凸状幾何学形状の頂部から前記レンガの前記側面上の基部までによって規定されるＺ軸方向の前記突出部の長さが前記レンガの幅Ｚの２６％から６５％までの間である突出部を特徴とする、請求項１７に記載のレンガ。
【請求項２０】
前記前方垂直面の２つの縁におけるＹ軸方向の９０度直角溝と、前記下部水平面の２つの縁におけるＸ軸方向の９０度直角溝とを特徴とする、請求項１７に記載のレンガ。
【請求項２１】
前記前方垂直面の２つの縁におけるＹ軸方向の９０度直角溝と、前記後方垂直面の２つの縁におけるＹ軸方向の９０度直角溝と、前記上部水平面の２つの縁におけるＸ軸方向の９０度直角溝と、前記下部水平面の２つの縁におけるＸ軸方向の９０度直角とを特徴とする、請求項１７に記載のレンガ。
【発明の詳細な説明】
【技術分野】
【０００１】
本発明は、水平方向および垂直方向に連結するレンガによる壁体構築の分野に関する。
【背景技術】
【０００２】
本発明の分野では、接着剤またはモルタルの使用量を減らすことを目的に、水平方向および垂直方向に連結する突出部および空洞部を持つレンガによって構築される壁体について記載したものがある。水平方向および垂直方向に連結する突出部および空洞部を持つレンガは、また、自然による一様で周期的な力に対して高い横方向の耐力を持つ壁体を構築することを目的としたものとしても記載されている。しかし、接着剤やモルタルの使用量を減らし、さらに、横方向の高い剛性と、極度の重力による力、周期的な力、および一様な力に対する高い耐力とを有する壁体をもたらす壁体の構築のためのレンガおよびロッドのシステムについて記載しているものはない。
【０００３】
先行技術では、水平方向および垂直方向に連結することによって、接着剤またはモルタルの使用量が減る一方で、自然による一様で周期的な力に対する高い耐力を有する壁体をもたらす突出部と空洞部を備えるレンガを用いた壁体の構築について記載したものがある。
【０００４】
とりわけ、Ｎａｎａｙａｋｋａｒａは、特許文献１、特許文献２、および特許文献３において、水平方向および垂直方向の連結システムを備え、モルタル使用量を減らしながら、自然による一様で周期的な力に対する高い横方向の耐力を有する壁体をもたらすレンガまたはブロックを記載している。特許文献１には、陽と陰の相補的な幾何学的外形と、連続した垂直の空洞部とを持ち、それによって隣接するレンガの間で水平方向および垂直方向の連結を実現することによって連続した垂直な空洞部を持つ壁体を構築するレンガが記載されている。
【先行技術文献】
【特許文献】
【０００５】
【特許文献１】米国特許第６，５５０，２０８号明細書
【特許文献２】米国特許第６，１０５，３３０号明細書
【特許文献３】米国特許第６，５７８，３３８号明細書
【発明の概要】
【発明が解決しようとする課題】
【０００６】
しかし、先行技術にも、Ｎａｎａｙａｋｋａｒａの特許にも、本発明のレンガおよびロッドのシステムで記載されるものと同じようなレンガまたはブロックについての記載はない。Ｎａｎａｙａｋｋａｒａの特許に記載されているレンガまたはブロックは陰と陽の幾何学的外形を持つが、それは本発明のレンガの突出部および空洞部とは異なる。さらに、壁体の水平方向および垂直方向に隣接したレンガの突出部および空洞部によって形成される連結を補強する機能を持つロッドの直径に特に適合させた穿孔または穴を有するレンガについて記載した先行技術の例はない。本発明のレンガおよびロッドのシステムは、例えば、擁壁、またはその他の種類の壁体であって、横方向の高い剛性と、極度の重力による力、周期的な力、および一様な力に対する高い耐力とを有する壁体のような壁体の構築を可能にするものである。本発明のレンガおよびロッドのシステムは、また、地震動または地震の際に亀裂を生じにくい壁体の構築のために、水平方向および垂直方向に隣接するレンガの間の柔軟な連結を提供する。
【課題を解決するための手段】
【０００７】
本発明は、レンガおよびロッドのシステムであって、該システムが、壁体の構築のための矩形の三次元レンガであって、レンガの長さを規定する水平軸Ｘ、レンガの高さを規定する垂直軸Ｙ、レンガの幅を規定する水平軸Ｚの３つの直交座標Ｘ、Ｙ、Ｚによって規定されるレンガと、ロッドとを特徴としており、レンガが、
ａ．  Ｘ軸およびＺ軸によって規定される上部水平面および下部水平面と、
ｂ．  Ｚ軸およびＹ軸によって規定される前方垂直面および後方垂直面と、
ｃ．  Ｘ軸およびＹ軸によって規定される２つの垂直側面と、
ｄ．  レンガの前方垂直面の中央に設けられたＸ軸方向の丸みを帯びた凸状幾何学形状の対称形の突出部であって、該突出部がｅに記載の空洞部によって水平方向に隣接するブロックと正確に連結し、Ｚ軸の同じ方向に規定されるレンガの前方垂直面上の突出部の基部が突出部の凸状幾何学形状の最大直径よりも短い長さである突出部と、
ｅ．  レンガの後方垂直面の中央に設けられたＸ軸方向の凹状幾何学形状の対称形の空洞部であって、該空洞部がｄに記載の突出部によって水平方向に隣接するブロックと正確に連結し、Ｚ軸と同じ方向に規定されるレンガの後方垂直面上の空洞部の開口の長さが空洞部の凹状幾何学形状の最大直径よりも短い空洞部と、
ｆ．  レンガの上部水平面の中央に対称形に配設されたＹ軸方向の円筒形凹状幾何学形状の２つの突出部であって、該突出部がｇに記載の空洞部によって垂直方向に隣接するブロックと正確に連結し、レンガの上部水平面上のそれぞれの突出部の基部の直径が突出部の円筒形部分の直径以上である突出部と、
ｇ．  レンガの下部水平面の中央に対称形に配設されたＹ軸方向の円筒形凹状幾何学形状の２つの空洞部であって、該空洞部がｆに記載の突出部によって垂直方向に隣接するブロックと正確に連結し、レンガの下部水平面上のそれぞれの空洞部の開口の直径が空洞部の円筒形部分の直径以上である空洞部と、
ｈ．  レンガを貫通する２つの垂直な円筒形の穴であって、該穴のＹ軸方向の長さがｆに記載の突出部の凸状幾何学形状の頂部からｇに記載の空洞部の凹状幾何学形状の頂部までによって規定され、該穴と、壁体で垂直方向に隣接するレンガのそれと同一の穴とが壁体の垂直軸の方向に心合せされることによって壁体の全高にわたって延びる連続した垂直な穴を形成する穴と、
ｉ．  レンガを貫通する１つの垂直な円筒形の穴であって、Ｙ軸方向の該穴の長さがレンガの上部水平面からレンガの下部水平面までによって規定され、該穴がｈに記載の２つの穴の間に平行に配設され、該穴と、垂直方向に隣接するレンガのｊに記載の同じ直径の穴とが壁体の垂直軸の方向に心合せされることによって壁体の全高にわたって延びる連続した垂直な穴が形成され、該穴が、壁体の全高にわたって延びる連続した穴にロッドを挿入することができるようにロッドの直径に見合った直径を持つ穴と、
ｊ．  ｄに記載の突出部をＹ軸方向に貫通する垂直な円筒形の穴であって、穴の長さが該突出部の上部水平面の中心から該突出部の下部水平面の中心までによって規定され、この穴と、垂直方向に隣接するレンガのｉに記載の同じ直径の穴とが壁体の垂直軸の方向に心合せされることによって壁体の全高にわたって延びる連続した垂直な穴が形成され、該穴が、壁体の全高にわたって延びる連続した穴にロッドを挿入することができるようにロッドの直径に見合った直径を持つ穴と、を備える中実ブロックであり、
ロッドの長さが壁体の高さの長さ以上であり、ロッドがｉおよびｊに記載の連続した垂直な穴を貫くように垂直に挿入され、
垂直方向および水平方向に隣接するレンガの間に耐力のある連結が生み出されることによって、複数のロッドからなるスケルトンの挿入が可能な壁体が構築され、それにより、横方向の高い剛性と、極度の一様な力、周期的な力、および重力による力に対する高い耐力とを持つ構造をもたらすシステムを提供する。また、本発明によるレンガおよびロッドのシステムは、地震動または地震に対する耐力を持つ壁体を構築するための柔軟な連結も提供する。
【０００８】
もう１つの態様では、本発明は、レンガの側面の１つに設けられた丸みを帯びた凸状幾何学形状の対称形の突出部であって、該突出部が水平方向に隣接するレンガのｅ記載の空洞部と正確に連結し、Ｘ軸の同じ方向に規定される側面上の突出部の基部が突出部の凸状幾何学形状の最大直径よりも短い長さである突出部を特徴とするレンガを提供する。
【０００９】
もう１つの態様では、本発明は、レンガの側面の１つに設けられた丸みを帯びた凸状幾何学形状の対称形の突出部であって、該突出部が水平方向に隣接するレンガのｅ記載の空洞部と正確に連結し、Ｘ軸の同じ方向に規定される垂直側面上の突出部の基部が突出部の凸状幾何学形状の最大直径よりも短い長さであり、突出部の凸状幾何学形状の頂部からレンガの側面上の基部までによって規定されるＺ軸方向の突出部の長さがレンガの幅Ｚの２６％から６５％までの間である突出部を特徴とするレンガを提供する。
【００１０】
もう１つの態様では、本発明は、前方垂直面の２つの縁におけるＹ軸方向の９０度直角溝と、下部水平面の２つの縁におけるＸ軸方向の９０度直角溝とを特徴とするレンガを提供する。
【００１１】
１つの追加的態様では、本発明は、前方垂直面の２つの縁におけるＹ軸方向の９０度直角溝と、後方垂直面の２つの縁におけるＹ軸方向の９０度直角溝と、上部水平面の２つの縁におけるＸ軸方向の９０度直角溝と、下部水平面の２つの縁におけるＸ軸方向の９０度直角とを特徴とするレンガを提供する。
【００１２】
本発明の１つの追加的態様は、
ｉ．  長さがレンガの高さに等しい管であって、管が雌ねじとして機能し、管が内ねじを有しており、その中にｉｉに記載のねじが螺入されるようになっている管と、
ｉｉ．  ｉに記載の管の長さ以下の長さの雄ねじであって、雄ねじが外ねじを持ち、該ねじがその上半分でｉに記載するような管の中にはまり込み、下半分でｉに記載するような別の管の中にはまり込み、形成される嵌合継手によって垂直方向に隣接する２つのレンガに挿入される２つの管が接合される雄ねじとを備える組立てロッドであって、
複数の管および複数の雄ねじによって、連続した組立てロッドが形成され、構成される組立てロッドを提供する。
【００１３】
もう１つの追加的態様では、本発明は、それぞれの長さがレンガの高さの１倍半（１．５倍）であるロッド部片を含む組立てロッドであって、それぞれのロッド部片が第１の部分、第２の部分、第３の部分として規定される３つの部分によって形成されており、その３つの部分が全く同じ長さで、それぞれの部分がロッド部片の長さの３分の１に等しい長さを持っており、第１の部分はロッド部片の一端であり、第１の部分は中空で内ねじを持ち、それによってロッド部片の雌ねじとして機能する部分を構成しており、第２の部分は第１の部分と第３の部分の間のロッド部片の中間にあり、第２の部分は中実であり、第３の部分は中実で外ねじを持ち、第３の部分は第１の部分が構成する一端とは反対端にあり、第３の部分はロッド部片の雄ねじとして機能する部分であり、ロッド部片の第１の部分が別の同一のロッド部片の第３の部分に螺着され、螺合された複数の同一のロッド部片によって組立てロッドが形成される組立てロッドを提供する。
【００１４】
１つの追加的態様では、本発明は、レンガの前方垂直面の中央に設けられたＸ軸方向の丸みを帯びた凸状幾何学形状の対称形の突出部であって、該突出部がｅに記載の空洞部によって水平方向に隣接するレンガと正確に連結し、Ｚ軸と同じ方向に規定されるレンガの前方垂直面上の突出部の基部が突出部の凸状幾何学形状の最大直径よりも短い長さであり、突出部の凸状幾何学形状の頂部からレンガの前方垂直面上の基部までによって規定されるＸ軸方向の突出部の長さがレンガの幅Ｚの２６％から６５％までの間である突出部を特徴とするレンガを提供する。
【００１５】
本発明のもう１つの追加的態様は、レンガの後方垂直面の中央に設けられたＸ軸方向の丸みを帯びた凹状幾何学形状の対称形の空洞部であって、該空洞部がｄに記載の突出部と正確に連結し、Ｚ軸の同じ方向に規定されるレンガの後方垂直面上の空洞部の開口の長さが空洞部の凹状幾何学形状の最大直径よりも短く、空洞部の凹状幾何学形状の頂部からレンガの後方垂直面上の開口までによって規定されるＸ軸方向の空洞部の長さがレンガの幅Ｚの２６％から６５％までの間である空洞部を特徴とするレンガを提供する。
【００１６】
もう１つの追加的態様では、本発明は、レンガの上部水平面の中央に対称形に配設されたＹ軸方向の円筒形凸状幾何学形状の２つの突出部であって、該突出部がｇに記載の空洞部によって垂直方向に隣接するブロックと正確に連結し、レンガの上部水平面上のそれぞれの突出部の基部の直径が突出部の円筒形部分の直径以上であり、突出部の凸状幾何学形状の頂部からレンガの上部水平面上の基部までのＹ軸方向の突出部の長さがレンガの幅Ｚの２６％から６５％までの間である突出部を特徴とするレンガを提供する。
【００１７】
もう１つの追加的態様では、本発明は、レンガの下部水平面の中央に対称形に配設されたＹ軸方向の円筒形凹状幾何学形状の２つの空洞部であって、該空洞部がｆに記載の突出部によって垂直方向に隣接するブロックと正確に連結し、レンガの下部水平面上のそれぞれの空洞部の開口の直径が空洞部の円筒形部分の直径以上であり、空洞部の凹状幾何学形状の頂部からレンガの下部水平面上の空洞部の開口までによって規定されるＹ軸方向の空洞部の長さがレンガの幅Ｚの２６％から６５％までの間である空洞部を特徴とするレンガを提供する。
【００１８】
さらにもう１つの態様では、本発明は、レンガを貫通する２つの垂直な円筒形の穴であって、該穴のＹ軸方向の長さがｆに記載の突出部の凸状幾何学形状の頂部からｇに記載の空洞部の凹状幾何学形状の頂部までによって規定され、この２つの穴と、壁体で垂直方向に隣接するレンガのそれらと同一の穴とが壁体の垂直軸の方向に心合せされることによって壁体の全高にわたって延びる連続した垂直な穴が形成され、２つの穴の直径がロッドの直径に見合ったものであり、
ロッドの長さが壁体の高さの長さ以上であり、ロッドが壁体の連続した垂直な穴を貫くように垂直に挿入される穴を特徴とするレンガを提供する。
【００１９】
本発明の目的および追加的な利点は、図面の説明、発明を実施するための最良の形態、および特許請求の範囲によってより明白となるであろう。
【図面の簡単な説明】
【００２０】
【図１】本発明の一実施形態によるレンガおよびロッドのシステムの三次元図である。
【図２Ａ】ロッド部片の三次元図である。
【図２Ｂ】ロッド部片の三次元図である。
【図３】本発明の一実施形態によるレンガの三次元図である。
【図４】本発明の一実施形態によるレンガの上部水平面の二次元図である。
【図５】本発明の一実施形態によるレンガの垂直側面の１つを示す二次元図である。
【図６】本発明の一実施形態によるレンガを貫通する穴の１つを通って中央部をＺ軸方向に切断する矢状面の二次元図である。
【図７】本発明の一実施形態によるレンガの三次元図である。
【図８】本発明の一実施形態によるレンガの上部水平面の二次元図である。
【図９】本発明の一実施形態によるレンガの三次元図である。
【図１０】本発明の一実施形態によるレンガの上部水平面の二次元図である。
【図１１】本発明の一実施形態によるレンガの三次元図である。
【図１２】本発明の一実施形態によるレンガで構築された壁体を側面から見た二次元図である。
【図１３】本発明の一実施形態による複数のレンガと複数のロッドで構築された壁体を側面から見た二次元図である。
【図１４】本発明の一実施形態によるレンガの三次元図である。
【図１５】本発明の２つの実施形態によるレンガの上部水平面の二次元図である。
【図１６】突出部および垂直な空洞部から延びて、本発明の一実施形態によるレンガを垂直に貫通する穴の１つを通ってＺ軸方向に切断する面の二次元図である。
【図１７】本発明の一実施形態によるレンガの垂直側面の１つを示す二次元図である。
【図１８】本発明の一実施形態によるレンガの三次元図である。
【図１９】本発明の２つの実施形態によるレンガの上部水平面の二次元図である。
【図２０】本発明の一実施形態によるレンガの三次元図である。
【図２１】本発明の２つの実施形態によるレンガの上部水平面の二次元図である。
【図２２】本発明の一実施形態によるレンガの三次元図である。
【図２３】本発明の一実施形態によるレンガの上部水平面の二次元図である。
【図２４】本発明の一実施形態によるレンガで構築された壁体を側面から見た二次元図である。
【図２５】本発明の一実施形態による複数のレンガと複数のロッドで構築された壁体を側面から見た二次元図である。
【図２６】本発明の一実施形態によるレンガの三次元図である。
【図２７】本発明の一実施形態によるレンガの三次元図である。
【図２８】本発明の一実施形態によるレンガの三次元図である。
【図２９】本発明の一実施形態によるレンガの三次元図である。
【発明を実施するための形態】
【００２１】
図１は、１つの実施形態によるレンガ、ならびにレンガに挿入された２つの実施形態によるロッド（４）、（５Ａ）、および（５Ｂ）の三次元図を示す。図２Ａおよび２Ｂは、他のロッド部片と嵌合して組立てロッドを形成するロッド部片の２つの実施形態を示す。レンガは、図７に示すように、３つの直交座標Ｘ、Ｙ、Ｚによって規定され、そのうち、水平軸Ｘが長さを規定し、垂直軸Ｙが高さを規定し、水平軸Ｚが幅を規定する。
【００２２】
図５および６は、レンガが上部水平面（６）および下部水平面（１３）を持つことを示す。
【００２３】
図３、図４、および図５には、レンガの前方垂直面（７）および後方垂直面（８）が示されている。
【００２４】
図４および図６では、レンガの２つの垂直側面（１４）を見ることができる。
【００２５】
図３および図４には、レンガの前方垂直面（７）の中央に設けられた丸みを帯びた凸状幾何学形状の対称形の突出部（１）であって、レンガの後方垂直面（８）の中央に設けられた凹状幾何学形状の対称形の空洞部（２）によって水平方向に隣接するレンガと正確に連結する該突出部（１）を備えるレンガの実施形態が示されている。図４には、レンガの前方垂直面（７）上における突出部の基部（９）の長さが突出部の凸状幾何学形状の最大直径（１０）よりも短い長さであることが示されている。図４は、また、レンガの後方垂直面上の空洞部の開口（１１）の長さが空洞部の凹状幾何学形状の最大直径（１２）より小さいことも示している。
【００２６】
図３、図４、図５、および図６は、レンガの上部水平面の中央に対称形に配設された円筒形凸状幾何学形状の２つの突出部（３）を示している。該突出部（３）は、下部水平面（１３）の中央に対称形に配設された円筒形凹状幾何学形状の空洞部（１６）（図５）によって垂直方向に隣接するブロックと正確に連結する。図６からは、レンガの上部水平面上のそれぞれの突出部の基部の直径（１８）が突出部（３）の円筒形部分（１７）の直径以上であることが見て取れる。同様に、図５からは、レンガの下部水平面（１３）上のそれぞれの空洞部の開口の直径（１９）が空洞部（１６）の円筒形部分（２０）の直径以上であることが見て取れる。
【００２７】
図１から図８までには、レンガを貫通する２つの垂直な円筒形の穴（１５）が示されており、該穴の長さは、突出部（３）の凸状幾何学形状の頂部（２１）（図５）から空洞部（１６）の凹状幾何学形状の頂部（２２）（図５）までによって規定される。
【００２８】
図１２からは、穴（１５）と、壁体で垂直方向に隣接するレンガのそれと同一の穴（１５）とが壁体の垂直軸の方向に心合せされ、それによって壁体の全高にわたって延びる連続した垂直な穴が形成されることが見て取れる。
【００２９】
図３から図１２には、レンガを貫通する１つの垂直な円筒形の穴（２３）が示されており、該穴の長さは、レンガの上部水平面（６）からレンガの下部水平面（１３）までによって規定される。穴（２３）は２つの穴（１５）の間に平行に配設される。
【００３０】
図３から図５、図７、図８、および図１２には、突出部（１）を貫通する垂直な円筒形の穴（２４）が示されている。該穴（２４）の長さは、該突出部（１）の上部水平面の中心から該突出部（１）の下部水平面の中心までによって規定される。
【００３１】
図１２からは、穴（２３）と、垂直方向に隣接するレンガの同一直径の穴（２４）とが壁体の垂直軸の方向に心合せされ、それによって壁体の全高にわたって延びる連続した垂直な穴が形成されることが見て取れる。図１３では、穴（２３）および（２４）の直径が、壁体の全高にわたって延びる連続した穴にロッドを挿入することができるようにロッド（４）、（５）、（２６）、または（２７）（図１および２）の直径に見合ったものであることが見て取れる。
【００３２】
図１３からは、ロッドの長さが壁体の高さ以上であることが見て取れる。さらに、ロッドは、穴（２３）および（２４）（図１２および１３）が心合せされてできる連続した垂直な穴を貫くように垂直に挿入されていることがわかる。
【００３３】
図７および図８は、本発明によるレンガのもう１つの実施形態を示す。この実施形態では、レンガは空洞部（２）を持たず、平らな後方垂直面（８）を持つレンガとなる。このレンガはレンガの水平方向の並びにおける先頭のレンガとなる。
【００３４】
図９および図１０は、本発明によるレンガのもう１つの実施形態を示す。この実施形態では、レンガは突出部（１）を持たず、平らな前方垂直面（７）を持つレンガとなる。このレンガはレンガの水平方向の並びにおける最後のレンガとなる。
【００３５】
図１１は、本発明によるレンガのもう１つの実施形態を示す。この実施形態は、レンガの側面（１４）の１つに設けられた丸みを帯びた凸状幾何学形状の対称形の突出部（２８）を特徴とするレンガを示す。該突出部は、水平方向に隣接するレンガの空洞部（２）と正確に連結する。
【００３６】
図２３からは、側面上の突出部の基部（２９）が突出部（２８）の凸状幾何学形状の最大直径（３０）よりも短い長さであることが見て取れる。
【００３７】
本明細書に記載するレンガおよびロッドのシステムは、垂直方向および水平方向に隣接するレンガの間に耐力のある連結を形成して、複数のロッドからなるスケルトンの挿入が可能な壁体を構築することを可能にするものであり、それにより、横方向の高い剛性と、極度の一様な力、周期的な力、および重力による力に対する高い耐力とを持つ構造をもたらす。
【００３８】
さらに、丸みを帯びた凸状の水平な突出部（１）、丸みを帯びた凹状の水平な空洞部（２）、丸みを帯びた円筒形の凸状の垂直な突出部（３）、および丸みを帯びた円筒形の凹状の垂直な空洞部（１６）を持つ本発明によるレンガおよびロッドのシステムは、地震動または地震の際に亀裂を生じにくい壁体の構築のための柔軟な連結の形成を可能にする。
【００３９】
図１４から図２１は、本発明によるその他の実施形態であって、レンガが、
ａ．  レンガの前方垂直面（７）の中央に設けられた丸みを帯びた凸状幾何学形状の対称形の突出部（１）であって、突出部（１）の凸状幾何学形状の頂部（３３）からレンガの前方垂直面（７）の基部（３２）までによって規定される突出部（１）の長さ（３１）（図１５および１９）がレンガの幅Ｚの２６％から６５％までの間である突出部（１）と、
ｂ．  レンガの後方垂直面（８）の中央に設けられた凹状幾何学形状の対称形の空洞部（２）であって、空洞部（２）の凹状幾何学形状の頂部（３５）からレンガの後方垂直面（８）上の開口（３６）までによって規定される空洞部（２）の長さ（３４）（図１５および２１）がレンガの幅Ｚの２６％から６５％までの間である空洞部（２）と、
ｃ．  レンガの上部水平面（６）の中央に対称形に配設された円筒形凸状幾何学形状の２つの突出部（３）であって、突出部（３）の凸状幾何学形状の頂部（２１）からレンガの上部水平面（６）上の基部（３８）までによって規定される突出部（３）の長さ（３７）（図１６）がレンガの幅Ｚの２６％から６５％までの間である突出部（３）と、
ｄ．  レンガの下部水平面（１３）の中央に対称形に配設された円筒形凹状幾何学形状の２つの空洞部（１６）であって、空洞部（１６）の凹状幾何学形状の頂部（２２）からレンガの下部水平面（１３）上の空洞部（１６）の開口（４０）までによって規定される空洞部（１６）の長さ（３９）（図１６）がレンガの幅Ｚの２６％から６５％までの間である空洞部（１６）とを備える、実施形態を示す。
【００４０】
図２２および図２３は、レンガの側面（１４）の１つに設けられた丸みを帯びた凸状幾何学形状の対称形の突出部（２８）を持つレンガのもう１つの実施形態であって、突出部（２８）の凸状幾何学形状の頂部（４２）からレンガの側面（１４）上の基部（２９）までによって規定される突出部（２８）の長さ（４１）（図２２）がレンガの幅Ｚの２６％から６５％までの間である実施形態を示す。
【００４１】
図２４および図２５は、レンガを貫通する２つの垂直な円筒形の穴（１５）を持つレンガであって、それらの穴（１５）と、壁体で垂直方向に隣接するレンガのそれと同一の穴（１５）とが壁体の垂直軸の方向に心合せされ、それによって壁体の全高にわたって延びる連続した垂直な穴が形成され、さらに穴の直径がロッドの直径に見合ったものであるレンガを特徴とする本発明の実施形態を示す。図２５では、ロッドの長さが壁体の高さの長さ以上であることが示されている。同じ図２５からは、壁体の全高にわたって延びる連続した穴にロッドを挿入することができることが見て取れる。
【００４２】
図２４に示す壁体の連続した穴は、また、電気ケーブル、ガス配管、電話ケーブルなどを壁に垂直に通すために使用することもできる。
【００４３】
図２６は、本発明によるレンガのもう１つの実施形態を示す。この実施形態では、レンガは、前方垂直面（７）の２つの縁（４４）におけるＹ軸方向の９０度直角溝と、後方垂直面の２つの縁（４５）におけるＹ軸方向の９０度直角と、上部水平面の２つの縁（４６）におけるＸ軸方向の９０度直角と、下部水平面の２つの縁（４３）におけるＸ軸方向の９０度直角とを特徴とする。
【００４４】
図２７は、本発明によるレンガのもう１つの実施形態を示す。この実施形態では、レンガは、前方垂直面の２つの縁（４７）におけるＹ軸方向の９０度直角と、下部水平面の２つの縁（４８）におけるＸ軸方向の９０度直角とを特徴とする。
【００４５】
図２８および図２９は、本発明によるレンガのその他の実施形態であって、レンガの水平方向の並びの最初または最後に水平方向に配置されるように、レンガが他の隣接するレンガに対してＸ軸方向に半分の長さであり、垂直に隣接する他の水平なレンガの並びとの間で平らな端を作り出して、連続した垂直な縁を持つ壁体を実現する実施形態を示している。
【００４６】
本発明のロッドは、単一部分からなるロッド（５）であるか、または順次連結されるロッド部片からなる組立てロッドであることができる。
【００４７】
ロッド部片は図１に見ることができるが、この図は、長さがレンガの高さに等しい管（５Ａ）であって、管が雌ねじとして機能し、内ねじを有するその管が外ねじを持つ雄ねじ（５Ｂ）と螺合されるようになっている管を示している。雄ねじ（５Ｂ）は管（５Ａ）の長さ以下の長さである。雄ねじはその上半分によって管（５Ａ）の内側に連結し、下半分によって別の管（５Ａ）に連結することによって、垂直に隣接する２つのレンガに挿入される２つの管の連結を形成する。連続した組立てロッドは、複数の管（５Ａ）および複数の雄ねじ（５Ｂ）によって形成される一連の連結によって構成される。
【００４８】
本発明のもう１つの実施形態では、組立てロッドは、長さがレンガの高さの１倍半（１．５倍）であるロッド部片（２６）および（２７）（図２Ａおよび２Ｂ）によって構成される。それらのロッド部片（２６）および（２７）のそれぞれは、第１の部分（４９）、第２の部分（５０）、第３の部分（５１）として規定される３つの部分によって形成され、その３つの部分が全く同じ長さで、それぞれの部分がロッド部片の長さの３分の１に等しい長さを持っており、第１の部分（４９）はロッド部片の一端にあり、第１の部分は中空で、ロッド部片の雌ねじとして機能する部分を構成する内ねじを持ち、第２の部分（５０）は第１の部分（４９）と第３の部分（５１）の間のロッド部片の中間にあり、第２の部分（５０）は中実であり、第３の部分（５１）は中実で外ねじを持ち、第３の部分（５１）は第１の部分（４９）を構成する一端とは反対端にあり、第３の部分（５１）はロッド部片の雄ねじとして機能する部分であり、ロッド部片の第１の部分（４９）が別の同一のロッド部片の第３の部分（５１）と連結し、そうして複数のロッド部片が順次連結されることによって組立てロッドが形成される。
【００４９】
本発明の利点の１つは、壁体の構築における水平方向および垂直方向に隣接するレンガの間のモルタルまたは接着剤の使用量の削減にある。これは、水平方向に隣接するレンガの間で完璧な相補関係をなす凸状幾何学形状の対称形の突出部（１）と凹状幾何学形状の対称形の空洞部（２）の間、および垂直方向に隣接するレンガの間で完璧な相補関係をなす円筒形の凸状の突出部（３）と円筒形の凹状の空洞部（１６）の間の連結によって達成される。
【００５０】
しかし、本発明のもう１つの実施形態は、上部水平面（６）に設けられた円筒形の凸状の突出部（３）を持つレンガであって、その円筒形部分が上部水平面（６）との間にやや丸みのある遷移部を伴って角度（５２）（図１６）を形成し、一方、円筒形の凹状の空洞部（１６）が下部水平面（１３）に設けられ、その円筒形部分が下部水平面（１３）との間に９０度の直角（５３）（図１６）を形成するレンガを備える。突出部（１）によって形成される角度（５２）と空洞部（１６）によって形成される角度（５３）の間のずれは、垂直方向に隣接するレンガの間に不完全な連結を生み出し、それによって垂直方向に隣接するレンガの間にミリメートル単位の隙間を生じる。このような隙間は耐震規則によって要求される場合がある。必要な場合には、このような隙間はモルタルで埋めることができる。
【００５１】
説明では、本発明の好ましい実施形態を示したが、以下の請求項に含まれる基本的な考え方および原理から外れることなく、各部の形状および配置にさらに変更を加えることが可能である。
【符号の説明】
【００５２】
１  水平な突出部
２  水平な空洞部
３  垂直な突出部
４  ロッド
５  ロッド
５Ａ  管
５Ｂ  雄ねじ
６  上部水平面
７  前方垂直面
８  後方垂直面
９  基部
１０  最大直径
１１  開口
１３  下部水平面
１４  側面
１５  穴
１６  空洞部
１７  円筒形部分
１８  直径
１９  開口の直径
２０  円筒形部分
２１  頂部
２２  頂部
２３  穴
２４  穴
２６  ロッド部片
２７  ロッド部片
２８  突出部
２９  基部
３０  最大直径
３１  長さ
３２  基部
３３  頂部
３４  長さ
３５  頂部
３６  開口
３７  長さ
３８  基部
３９  長さ
４０  開口
４１  長さ
４２  頂部
４３  縁
４４  縁
４５  縁
４６  縁
４７  縁
４８  縁
４９  第１の部分
５０  第２の部分
５１  第３の部分
５２  角度
５３  角度
【図１】
2009537718.tif 000003
【図２Ａ】
2009537718.tif 000004
【図２Ｂ】
2009537718.tif 000005
【図３】
2009537718.tif 000006
【図４】
2009537718.tif 000007
【図５】
2009537718.tif 000008
【図６】
2009537718.tif 000009
【図７】
2009537718.tif 000010
【図８】
2009537718.tif 000011
【図９】
2009537718.tif 000012
【図１０】
2009537718.tif 000013
【図１１】
2009537718.tif 000014
【図１２】
2009537718.tif 000015
【図１３】
2009537718.tif 000016
【図１４】
2009537718.tif 000017
【図１５】
2009537718.tif 000018
【図１６】
2009537718.tif 000019
【図１７】
2009537718.tif 000020
【図１８】
2009537718.tif 000021
【図１９】
2009537718.tif 000022
【図２０】
2009537718.tif 000023
【図２１】
2009537718.tif 000024
【図２２】
2009537718.tif 000025
【図２３】
2009537718.tif 000026
【図２４】
2009537718.tif 000027
【図２５】
2009537718.tif 000028
【図２６】
2009537718.tif 000029
【図２７】
2009537718.tif 000030
【図２８】
2009537718.tif 000031
【図２９】
2009537718.tif 000032
【国際調査報告】
2009537718.tif 000033
2009537718.tif 000034